(57)【要約】      （修正有）【課題】紙製の段ボール板からなり、分別処理の必要がなく、焼却処理するときの燃焼温度も低く、柔軟性、伸縮性に富み、瓶の径に多少の違いがあってもフィットできる筒状緩衝体を提供する。【解決手段】紙材からなる片面段ボール板を波２ａの芯方向に圧縮させてなる緩衝シートを用い、前記緩衝シートを波板２の全ての波２ａの長さ方向が周方向に向くように筒状に丸めて緩衝シートの両端部同士を接着剤で接合させてなる筒状緩衝体７を瓶８に被せる。【選択図】図７
0003151005.tif 000002
【実用新案登録請求の範囲】
【請求項１】
紙材からなる片面段ボール板を波の芯方向に圧縮させてなる緩衝シートを用い、前記緩衝シートを波板の全ての波の長さ方向が周方向に向くように筒状に丸めて緩衝シートの両端部同士を接着剤で接合させてなることを特徴とする筒状緩衝体。
【考案の詳細な説明】
【技術分野】
【０００１】
本考案は、日本酒や洋酒などが入った瓶を保護する筒状緩衝体に関するものである。
【背景技術】
【０００２】
従来の緩衝材としては、例えば特許文献１に開示されているように、プラスチックフィルムを少なくとも２枚重ね、その一方のプラスチックフィルム側で無数のエアーの膨らみ部が形成されてなるバブルシートが一般に知られている。
【０００３】
例えば、日本酒や洋酒などが入った瓶を包む場合でもバブルシートは柔軟で、瓶の形態に適合させることができるものである。
【先行技術文献】
【特許文献】
【０００４】
【特許文献１】特開２００１−２０６４４９号公報
【考案の概要】
【考案が解決しようとする課題】
【０００５】
上記したバブルシートは柔軟で、あらゆる形状の商品を包むのに使用されているが、プラスチックフィルムで作られているので、使用済みのバブルシートは分別処理が必要であり、しかも使用済みのバブルシートを焼却処理するときの燃焼温度が高く、焼却炉を早く傷めるなどの点で問題がある。
【０００６】
本考案の目的は、このような課題を解決するものであり、紙製の段ボール板からなり、分別処理の必要がなく、焼却処理するときの燃焼温度も低く、柔軟性、伸縮性に富み、瓶の径に多少の違いがあってもフィットできる筒状緩衝体を提供することにある。
【課題を解決するための手段】
【０００７】
本考案の請求項１に記載の筒状緩衝体は、紙材からなる片面段ボール板を波の芯方向に圧縮させてなる緩衝シートを用い、前記緩衝シートを波板の全ての波の長さ方向が周方向に向くように筒状に丸めて緩衝シートの両端部同士を接着剤で接合させてなることを特徴とする。
【考案の効果】
【０００８】
以上のように、本考案の筒状緩衝体は、筒状緩衝体の中に日本酒や洋酒などが入った瓶を差し込み、筒状緩衝体で日本酒や洋酒などが入った瓶に被せるようにすることにより、筒状緩衝体はその材料である緩衝シートの全ての波の長さ方向が周方向に向き、全ての波を含む波板は長さ方向に皺が寄っており、且つライナーも全体に亘って波板の皺と同一方向の皺が寄って径が縮まった状態となって径方向に伸び縮み可能となっているので、瓶の径に多少の違いがあってもフィットすることができる。そして、この筒状緩衝体が被せられた瓶を紙箱の中に入れて包装するとき、筒状緩衝体が被せられた瓶を他の緩衝材を用いることなく紙箱の中に直接入れて包装することができ、例えば段ボール板からなり折り曲げて組み立てられた緩衝材を用いて瓶を保護する場合に比べて紙箱として内部の容積が小さいものを用いることが可能となり、紙箱を構成する材料が少なくて済み、コストダウンを図ることができる。しかも、本考案の筒状緩衝体は紙材からなり、分別処理の必要がなく、焼却処理するときの燃焼温度も低く、焼却炉を早く傷めるなどの問題も解決できる。
【図面の簡単な説明】
【０００９】
【図１】本考案の筒状緩衝体の原料となる片面段ボール板の斜視図である。
【図２】（Ａ）および（Ｂ）は同片面段ボール板をロール状に巻いて上から圧縮させる状態を示す斜視図である。
【図３】同片面段ボール板を圧縮させることにより作られた緩衝シートの表面図である。
【図４】同片面段ボール板を圧縮させることにより作られた緩衝シートの裏面図である。
【図５】同緩衝シートを用いて作られた筒状緩衝体の斜視図である。
【図６】同筒状緩衝体を瓶に被せる状態を示す斜視図である。
【図７】同筒状緩衝体を瓶に被せ瓶の胴部を覆った状態を示す斜視図である。
【図８】同筒状緩衝体を瓶に被せ瓶の底部を覆った状態を示す斜視図である。
【考案を実施するための形態】
【００１０】
以下、本考案の一実施の形態を、図１〜図８を用いて具体的に説明する。
図において、１は波板２とライナー３を貼り合わせて作られた紙製の片面段ボール板である。この片面段ボール板１は波板２の波２ａが巻き方向に対して横方向に向いた状態でロール状に巻かれ、この片面段ボール板１のロール体を立てた状態で波２ａの芯方向に上からプレスすることにより波板２およびライナー３に全体に亘って皺４および５が寄った緩衝シート６が作られる。前記緩衝シート５の波板２は全ての波２ａがその長さ方向に押し潰された状態で同一方向の皺４が寄り、また前記ライナー３も全体に亘って波板２の皺４と同一方向の皺５が寄った状態となる。
【００１１】
上記のようにして作られた緩衝シート６を用いて筒状緩衝体７が作られる。詳しくは筒状緩衝体７は、緩衝シート６を波板２の全ての波２ａの長さ方向が周方向に向くように筒状に丸めて緩衝シート６の両端部同士を接着剤で接合させて作られるのである。
【００１２】
このようにして作られた筒状緩衝体７は全ての波２ａの長さ方向が周方向に向き、全ての波２ａを含む波板２は長さ方向に皺４が寄っており、且つライナー３も全体に亘って波板２の皺４と同一方向の皺５が寄って径が縮まった状態となっている。
【００１３】
そこで、このような筒状緩衝体７を日本酒や洋酒などが入った瓶を保護する瓶用の緩衝体として用いるのである。具体的には、筒状緩衝体７の中に日本酒や洋酒などが入った瓶８を差し込み、筒状緩衝体７で日本酒や洋酒などが入った瓶８に被せるようにする。このとき、筒状緩衝体７は前述のように全体に亘って皺４および５が寄って径方向に伸び縮み可能となっているので、瓶８の径に多少の違いがあってもフィットできるようになる。
【００１４】
図７は筒状緩衝体７で瓶８の胴部（上端の口部も含む）のみを覆っているが、図８に示すように筒状緩衝体７の下端を折り曲げて瓶８の底部をも保護するようにしても良い。
なお、図面に示す実施の形態では、筒状緩衝体７は波板２が外面に向くように筒状に作られているが、波板２が内面に向くように作られていても良く、波板２がどちらに向いていても筒状緩衝体７が被せられた瓶８が立った状態から倒れたりしても波板２のクッション効果により瓶８が割れるようなことがない。
【産業上の利用可能性】
【００１５】
本考案の筒状緩衝体は、日本酒や洋酒などが入った瓶に被せられ、瓶を保護する筒状緩衝体である。
【符号の説明】
【００１６】
１        片面段ボール板
２        波板
２ａ      波
３        ライナー
４，５    皺
６        緩衝シート
７        筒状緩衝体
８        瓶
【図１】
0003151005.tif 000003
【図２】
0003151005.tif 000004
【図３】
0003151005.tif 000005
【図４】
0003151005.tif 000006
【図５】
0003151005.tif 000007
【図６】
0003151005.tif 000008
【図７】
0003151005.tif 000009
【図８】
0003151005.tif 000010